(57)【要約】【課題】コードボックスを、堅固に且つ容易に取り付けられる自動製パン機を提供する。【解決手段】自動製パン機の本体を構成する略容器形状のボデー１と、上部にリブ１１を有し電源コード（図示せず）を収納するコードボックス１０を備え、ボデー１の側面にボデー１の底面へと続く開口部１２を設け、前記開口部１２の上端部を前記リブ１１で挟持するとともに下方からボデー１とコードボックス１０を締結したもので、コードボックス１０とボデー１の固定が強固になり、堅牢な機器を実現することができる。【選択図】図２
2008093457.tif 000002
【特許請求の範囲】
【請求項１】
自動製パン機の本体を構成する略容器形状のボデーと、上部にリブを有し電源コードを収納するコードボックスを備え、前記ボデーの側面に前記ボデーの底面へと続く開口部を設け、前記開口部の上端部を、前記リブで挟持するとともに、下方から前記ボデーと前記コードボックスを締結した自動製パン機。
【請求項２】
開口部の端部を、ボデーの外面に対し内側に入れた請求項１に記載の自動製パン機。
【請求項３】
電源コードをボデー側面に対し略法線方向になるようコードボックスに取り付けた請求項１又は２に記載の自動製パン機。
【発明の詳細な説明】
【技術分野】
【０００１】
本発明は、一般家庭にて使用する自動製パン機に関するものである。
【背景技術】
【０００２】
従来、この種の自動製パン機は、図３に示すように、ボデー１０１の側面に設けた開口部１０２にコードボックス１０３を外面側からはめ込みコードボックスのツメ１０４で係合固定するように構成されている（例えば、特許文献１参照）。
【特許文献１】特開平９−１１７３７５号公報
【発明の開示】
【発明が解決しようとする課題】
【０００３】
しかしながら上記従来の構成では、ツメによる係合固定のため、取り付けに力が必要となり組み立てにくいという課題を有していた。
【０００４】
本発明は、前記従来の課題を解決するもので、強固に、かつ組み立て易く機器にコードボックスを取り付けることができる自動製パン機を提供することを目的とする。
【課題を解決するための手段】
【０００５】
前記従来の課題を解決するために、本発明の自動製パン機は、自動製パン機の本体を構成する略容器形状のボデーと、上部にリブを有し電源コードを収納するコードボックスを備え、前記ボデーの側面に前記ボデーの底面へと続く開口部を設け、前記開口部の上端部を前記リブで挟持するとともに、下方から前記ボデーと前記コードボックスを締結したもので、コードボックスとボデーを強固に、かつ組み立て易く機器にコードボックスを取り付けることができる。
【発明の効果】
【０００６】
本発明の自動製パン機は、強固に、かつ組み立て易く機器にコードボックスを取り付けることができる。
【発明を実施するための最良の形態】
【０００７】
第１の発明は、自動製パン機の本体を構成する略容器形状のボデーと、上部にリブを有し電源コードを収納するコードボックスを備え、前記ボデーの側面に前記ボデーの底面へと続く開口部を設け、前記開口部の上端部を前記リブで挟持するとともに、下方から前記ボデーと前記コードボックスを締結したもので、コードボックスとボデーを強固に、かつ組み立て易く機器にコードボックスを取り付けることができる。
【０００８】
第２の発明は、特に、第１の発明の開口部の端部をボデーの外面に対し内側に入れたことにより、ボデー外面とコードボックスの外面を同一面にすることができ美しい外観品位を得ることができる。
【０００９】
第３の発明は、特に、第１又は第２の発明の電源コードをボデー側面に対し略法線方向になるようコードボックスに取り付けることにより、使用者がコードを引っぱる方向をボデー開口部の上端部を前記コードボックスのリブで挟持しコードボックスがボデーから外れにくい方向に合わせることができ、コードボックスがボデーから外れてしまうことを防ぐことができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における自動製パン機の断面図、図２は、同自動製パン機の部分斜視図である。
【００１２】
図１、図２において、１は自動製パン機の本体を構成するボデーである。２はボデー１内に備えられた焼成庫である。焼成庫内２には回転運動によりパン材料の混錬をおこなう羽根３を有したパンケース４を備えている。シャーシ５は焼成庫２を上側に載置し、羽根３の回転動力であるモーター６を下方に取り付けている。モーター６の動力は小プーリー７と大プーリー８を介して動力を羽根３に伝えている。大プーリー８はシャーシ５下方、焼成庫直下に位置し、電源コード９を収容するコードボックス１０はシャーシ５と大プーリー８との間に設けている。ボデー１は略容器形状をしており、コードボックス１０の上部にリブ１１を設け、ボデー１の側面には底面へと続く開口部１２を設け、開口部１２の上端部１３をコードボックス１０のリブ１１で挟持するとともに下方からボデー１とコードボックス１０をねじ１４で締結している。また、ボデー１の開口部１２の端部１５をボデー１の外面に対し一段内側に入れている。電源コード９はボデー側面に対し法線方向になるようコードボックスに取り付けられている。
【００１３】
以上のように構成された自動製パン機について、以下その動作、作用を説明する。
【００１４】
まず、大プーリー８はシャーシ５下方、焼成庫２直下に位置し、シャーシ５と大プーリー８との間にコードボックス１０を設けることにより、デッドスペースであった空間に効果的にコードボックス１０を構成することとなりコンパクトな機器を実現することができる。
【００１５】
また、ボデー１の側面に、ボデー１の底面へと続く開口部１２を設け、開口部１２の上端部１３をコードボックス１０のリブ１１で挟持するとともに下方からボデー１とコードボックス１０を締結したことにより、コードボックス１０とボデー１を強固に締結することとなり堅牢な機器を実現することができる。
【００１６】
また、ボデー１の開口部１２の端部１５をボデー１の外面に対し一段内側に入れたことにより、ボデー１の外面とコードボックス１０の外面を同一面にすることができ美しい外観品位を得ることができる。
【００１７】
また、電源コード９を、ボデー１の側面に対し略法線方向になるようコードボックス１０に取り付けることにより、使用者が電源コード９を引っぱる方向を、ボデー１の開口部１２の上端部１３をコードボックス１０のリブ１１で挟持しコードボックス１０がボデー１から外れにくい方向に合わせることができ、コードボックス１０がボデー１から外れてしまうことを防ぐことができる。
【産業上の利用可能性】
【００１８】
以上のように、本発明にかかる自動製パン機は、強固に、かつ組み立て易く機器にコードボックスを取り付けることができるもので、他の機器、例えば、自動もち製造機や回転調理機器等の用途にも適用できる。
【図面の簡単な説明】
【００１９】
【図１】本発明の第１の実施の形態における自動製パン機の断面図
【図２】同自動製パン機の部分斜視図
【図３】従来の自動製パン機の断面図
【符号の説明】
【００２０】
１  ボデー
２  焼成庫
３  羽根
４  パンケース
５  シャーシ
６  モーター
８  大プーリー
９  電源コード
１０  コードボックス
１１  リブ
１２  開口部
１３  上端部
【図１】
2008093457.tif 000003
【図２】
2008093457.tif 000004
【図３】
2008093457.tif 000005